(57)【要約】【課題】  映像を表示する映像表示制御装置等において、表示方向の切り替えに伴う煩わしさを解消すること。【解決手段】  携帯型テレビ１は、内蔵する角度センサで検出した傾斜角度θに基づいて使用姿勢を判定し、この判定した使用姿勢に応じた表示モードで映像をディスプレイ２に表示させる。このとき、携帯型テレビ１の使用姿勢の変化に関わらず、外部から見て映像が常に正立するように表示させる。具体的には、使用姿勢が縦置き姿勢であれば（（ａ）、（ｂ））、ディスプレイ２を横長で用いる横長モードで表示し、使用姿勢が横置き姿勢であれば（（ｃ）、（ｄ））、ディスプレイ２を縦長で用いる縦長モードで表示させる。【選択図】  図８
2005221954.tif 000002
【特許請求の範囲】
【請求項１】
傾斜検知センサと、
この傾斜検知センサによる検知結果に基づいて、縦置き姿勢及び横置き姿勢の少なくとも２つを含む自装置の使用姿勢を検出する検出手段と、
この検出手段により検出された使用姿勢に応じて、映像を表示する表示位置及び自装置に対する相対的な映像表示向きを切り替える制御を行う切替制御手段と、
を備えることを特徴とする映像表示制御装置。
【請求項２】
前記切替制御手段は、前記検出手段により検出される使用姿勢の変化に関わらず外部に対する映像表示向きを一定に保つように自装置に対する相対的な映像表示向きを切り替える手段である、
ことを特徴とする請求項１に記載の映像表示制御装置。
【請求項３】
前記切替制御手段は、
前記検出手段により検出された使用姿勢に応じて、映像の中心部分を切り出すか否かを判定する判定手段と、
この判定手段により切り出すと判定された場合には、映像の中心部分を切り出して表示対象とし、切り出すと判定されない場合には、映像全体を表示対象とする表示対象部分切替手段と、
を有することを特徴とする請求項１又は２に記載の映像表示制御装置。
【請求項４】
地上波デジタルテレビ放送のＯＦＤＭ信号を受信する受信手段を更に備え、
前記切替制御手段は、前記検出手段により検出された使用姿勢に応じて、前記受信手段により受信されたＯＦＤＭ信号の内の、表示対象とするセグメント信号を選択する選択手段を有する、
ことを特徴とする請求項１又は２に記載の映像表示制御装置。
【請求項５】
傾斜検知センサと、コンピュータとを備えた映像表示制御装置の前記コンピュータに、
前記傾斜検知センサによる検知結果に基づいて、縦置き姿勢及び横置き姿勢の少なくとも２つの姿勢を含む自装置の使用姿勢を検出する検出機能と、
この検出機能により検出された使用姿勢に応じて、映像を表示する表示位置及び自装置に対する相対的な映像表示向きを切り替える制御を行う切替制御機能と、
を実現させるためのプログラム。
【発明の詳細な説明】
【技術分野】
【０００１】
本発明は、映像表示制御装置及びプログラムに関する。
【背景技術】
【０００２】
従来、映像を表示させる制御を行う映像表示制御装置の一種として、テレビ放送を視聴するための携帯型のテレビが知られている。携帯型テレビでは、従来の家庭等に設置される据置型のテレビと異なり、テレビ放送の電波を受信可能な場所であればどこでもテレビ放送を視聴できるといった利点がある。
【０００３】
また、携帯型テレビは、自由に持ち運べる程度に小型であることから、机等の上に置いたり、或いはユーザによって把持される等、様々な姿勢（向き）で使用される可能性がある。このため、映像のディスプレイ（表示画面）に対する相対的な表示方向を、従来の据置型テレビのように固定とするのではなく、切替（変更）可能とすることが望ましい。
【０００４】
そこで、表示方向を切替可能としたものとして、例えば特許文献１には、複数の機能を有し、使用する機能に応じて表示方向を縦横で切り替える表示装置等が開示されている。かかる表示装置等では、ユーザがモード切替スイッチを上／下側に投入すると、ＬＣＤ（ディスプレイ）の表示領域が９０度回転されることで表示方向を縦横に切り替えることができる。
【特許文献１】特開平１０−３４００７３号公報
【発明の開示】
【発明が解決しようとする課題】
【０００５】
しかしながら、上述した特許文献１に開示されている表示装置等では、ユーザの操作によって表示方向を切り替えているため、特に移動しながら視聴する場合等、使用姿勢が頻繁に変化する場合には、その都度、ユーザがスイッチを操作して表示方向を適切に切り替えなくてはならず、非常に煩わしい。尚、このような問題は、携帯型テレビに限らず、テレビ放送を受信可能なＰＤＡや携帯電話機等の他、各種の映像を表示する機能を持つ携帯型の電子機器であれば同様に起こり得る。
【０００６】
上記事情に鑑み、本発明は、映像を表示させる制御を行う映像表示制御装置において、表示方向の切り替えに伴う煩わしさを解消すること目的としている。
【課題を解決するための手段】
【０００７】
上記課題を解決するために、請求項１に記載の発明は、
傾斜検知センサ（例えば、図１、図２の角度センサ３０）と、
この傾斜検知センサによる検知結果に基づいて、縦置き姿勢及び横置き姿勢の少なくとも２つを含む自装置の使用姿勢を検出する検出手段（例えば、図２のＣＰＵ４０；図１２のステップＳ１１）と、
この検出手段により検出された使用姿勢に応じて、映像を表示する表示位置及び自装置に対する相対的な映像表示向きを切り替える制御を行う切替制御手段（例えば、図２のＣＰＵ４０；図１２のステップＳ１２：ＹＥＳ〜Ｓ１８）と、
を備えることを特徴とする映像表示制御装置である。
【０００８】
また、請求項５に記載の発明は、
傾斜検知センサ（例えば、図１、図２の角度センサ３０）と、コンピュータとを備えた映像表示制御装置の前記コンピュータに、
前記傾斜検知センサによる検知結果に基づいて、縦置き姿勢及び横置き姿勢の少なくとも２つの姿勢を含む自装置の使用姿勢を検出する検出機能（例えば、図１２のステップＳ１１）と、
この検出機能により検出された使用姿勢に応じて、映像を表示する表示位置及び自装置に対する相対的な映像表示向きを切り替える制御を行う切替制御機能（例えば、図１２のステップＳ１２：ＹＥＳ〜Ｓ１８）と、
を実現させるためのプログラムである。
【０００９】
この請求項１又は５に記載の発明によれば、傾斜検知センサによる検知結果に基づいて、縦置き姿勢及び横置き姿勢の少なくとも２つを含む自装置の使用姿勢を検出し、検出した使用姿勢に応じて映像を表示する表示位置及び自装置に対する相対的な映像表示向きを切り替えることができる。即ち、使用姿勢に応じて表示位置及び表示向きが自動的に切り替えられるので、ユーザによる使用姿勢に応じて表示向きを切り替えるといった操作が不要となり、表示向きの切り替えに伴う煩わしさが解消される。
【００１０】
請求項２に記載の発明は、請求項１に記載の映像表示制御装置において、
前記切替制御手段は、前記検出手段により検出される使用姿勢の変化に関わらず外部に対する映像表示向きを一定に保つように自装置に対する相対的な映像表示向きを切り替える手段である、
ことを特徴としている。
【００１１】
この請求項２に記載の発明によれば、請求項１に記載の発明と同様の効果を奏するとともに、使用姿勢の変化に関わらず外部に対する映像表示向きを一定に保つように、自装置に対する相対的な映像表示向きを切り替えることができる。即ち、使用姿勢が変化しても外部から見たときに表示向きが一定に保たれるといった適切な表示位置及び表示向きの切り替えを実現できる。
【００１２】
請求項３に記載の発明は、請求項１又は２に記載の映像表示制御装置において、
前記切替制御手段は、
前記検出手段により検出された使用姿勢に応じて、映像の中心部分を切り出すか否かを判定する判定手段（例えば、図２のＣＰＵ４０；図１２のステップＳ２０）と、
この判定手段により切り出すと判定された場合には、映像の中心部分を切り出して表示対象とし、切り出すと判定されない場合には、映像全体を表示対象とする表示対象部分切替手段（例えば、図２のＣＰＵ４０；図１２のステップＳ２１）と、
を有することを特徴としている。
【００１３】
この請求項３に記載の発明によれば、請求項１又は２に記載の発明と同様の効果を奏するとともに、検出した使用姿勢に応じて映像の中心部分を切り出すか否かを判定し、切り出すと判定した場合には、映像の中心部分を切り出して表示対象とし、切り出すと判定しなかった場合には、映像全体を表示対象とすることができる。即ち、使用姿勢に応じて、映像全体又は映像から切り出した中央部分が表示対象とされるので、表示向きによって映像が縮小されて見辛くなるといったことを防止できる。
【００１４】
請求項４に記載の発明は、請求項１又は２に記載の映像表示制御装置において、
地上波デジタルテレビ放送のＯＦＤＭ信号を受信する受信手段（例えば、図２のテレビ部１０）を更に備え、
前記切替制御手段は、前記検出手段により検出された使用姿勢に応じて、前記受信手段により受信されたＯＦＤＭ信号の内の、表示対象とするセグメント信号を選択する選択手段（例えば、図２のＣＰＵ４０；図１６のステップＳ３７、Ｓ４１）を有する、
ことを特徴としている。
【００１５】
この請求項４に記載の発明によれば、請求項１又は２に記載の発明と同様の効果を奏するとともに、地上波デジタルテレビ放送のＯＦＤＭ信号を受信するとともに、使用姿勢に応じて、受信したＯＦＤＭ信号の内の表示対象とするセグメント信号を選択することができる。即ち、地上波デジタルテレビ放送の場合、映像品質が異なる複数のセグメント信号（セグメント放送）が同時に放送されるので、これらの内から適切な信号を選択してその映像を表示することで、使用姿勢に応じて効率良く映像を表示させるとともに、低消費電力化を図ることができる。
【発明の効果】
【００１６】
請求項１又は５に記載の発明によれば、傾斜検知センサによる検知結果に基づいて、縦置き姿勢及び横置き姿勢の少なくとも２つを含む自装置の使用姿勢を検出し、検出した使用姿勢に応じて映像を表示する表示位置及び自装置に対する相対的な映像表示向きを切り替えることができる。即ち、使用姿勢に応じて表示位置及び表示向きが自動的に切り替えられるので、ユーザによる使用姿勢に応じて表示向きを切り替えるといった操作が不要となり、表示向きの切り替えに伴う煩わしさが解消される。
【００１７】
また、請求項２に記載の発明によれば、使用姿勢の変化に関わらず外部に対する映像表示向きを一定に保つように、自装置に対する相対的な映像表示向きを切り替えることができる。即ち、使用姿勢が変化しても外部から見たときに表示向きが一定に保たれるといった適切な表示位置及び表示向きの切り替えを実現できる。
【００１８】
また、請求項３に記載の発明によれば、検出した使用姿勢に応じて映像の中心部分を切り出すか否かを判定し、切り出すと判定した場合には、映像の中心部分を切り出して表示対象とし、切り出すと判定しなかった場合には、映像全体を表示対象とすることができる。即ち、使用姿勢に応じて、映像全体又は映像から切り出した中央部分が表示対象とされるので、表示向きによって映像が縮小されて見辛くなるといったことを防止できる。
【００１９】
更に、請求項４に記載の発明によれば、地上波デジタルテレビ放送のＯＦＤＭ信号を受信するとともに、使用姿勢に応じて、受信したＯＦＤＭ信号の内の表示対象とするセグメント信号を選択することができる。即ち、地上波デジタルテレビ放送の場合、映像品質が異なる複数のセグメント信号（セグメント放送）が同時に放送されるので、これらの内から適切な信号を選択してその映像を表示することで、使用姿勢に応じて効率良く映像を表示させるとともに、低消費電力化を図ることができる。
【発明を実施するための最良の形態】
【００２０】
以下、図面を参照して、本発明を実施するための最良の形態を説明する。尚、以下では、本発明を、映像表示制御装置の一種である携帯型テレビに適用した場合を説明するが、本発明の適用がこれに限定されるものではない。
【００２１】
［外観］
図１は、本発明を適用した携帯型テレビ１の一例を示す外観正面図である。同図によれば、携帯型テレビ１は、略直方体形状の筐体の正面に、ディスプレイ２と、スピーカ３と、スイッチ群４と、を備えているとともに、側面に地上波デジタルテレビ放送の電波を受信可能な折り畳み式のアンテナ５を備えている。また、筐体下方に、外部に対する携帯型テレビ１の傾斜を検知する角度センサ３０を内蔵している。
【００２２】
ディスプレイ２は、ＬＣＤ（liquid Crystal Display：液晶ディスプレイ）で構成され、縦横比が９：１６の横長の矩形形状を成している。また、スイッチ群４には、地上波デジタルテレビ放送の受信を開始／停止させるためのテレビスイッチ４ａが含まれる。即ち、携帯型テレビ１では、地上波デジタルテレビ放送を受信し、受信した地上波デジタルテレビ放送の映像をディスプレイ２に表示するとともに、音声をスピーカ３から出力する。
【００２３】
このような携帯型テレビ１に適用される２つの実施形態を、以下、順に説明する。尚、以下では、同図における上／下／左／右を、それぞれ、携帯型テレビ１の上／下／左／右とする。
【００２４】
［第１実施形態］
先ず、第１実施形態を説明する。
【００２５】
＜構成＞
図２は、第１実施形態における携帯型テレビ１の回路構成を示すブロック図である。同図によれば、第１実施形態において、携帯型テレビ１は、テレビ部１０と、映像表示部２２と、音声出力部２４と、角度センサ３０と、ＣＰＵ（Central Processing Unit）４０と、ＲＯＭ（Read Only Memory）５０と、ＲＡＭ（Random Access Memory）６０と、外部インターフェース部７２と、ユーザインターフェース部７４と、を備えて構成される。
【００２６】
テレビ部１０は、地上波デジタルテレビ放送を受信するための回路ブロックであり、チューナ部１２と、ＯＦＤＭ（Orthogonal Frequency Division Multiplexing：直交周波数分割多重）復調部１４と、デコーダ部１６と、を含む。
【００２７】
チューナ部１２は、アンテナ５と同調を図ることで、ユーザによって指定されたチャンネル（放送局）に対応する周波数のＯＦＤＭ信号（変調信号）を受信する。
【００２８】
ＯＦＤＭ復調部１４は、チューナ部１２から入力されたＯＦＤＭ信号を復調する。具体的には、入力されたＯＦＤＭ信号をＡＤ（Analog to Digital）変換してデジタル信号に変換した後、同期処理、ＦＦＴ（Fast Fourier Transform：高速フーリエ変換）演算、誤り訂正処理等を実行することで、ＴＳ（Transport Stream：トランスポート・ストリーム）を抽出する。
【００２９】
デコーダ部１６は、ＯＦＤＭ復調部１４から入力されたＴＳから映像信号と音声信号とを分離し、分離した音声信号を復号（デコード）して音声出力部２４に出力するとともに、映像信号を復号（デコード）して映像表示部２２に出力する。尚ここで、音声信号及び映像信号は、ＭＰＥＧ（Moving Picture experts Group）等の公知の符号化方式で符号化されており、デコーダ部１６は、映像信号及び音声信号それぞれの符号化方式に対応する方式で復号する。
【００３０】
映像表示部２２は、デコーダ部１６から入力された映像信号に基づいた地上波デジタルテレビ放送の映像等を表示する。この映像表示部２２は、図１のディスプレイ２及びその駆動回路に該当する。また、音声出力部２４は、デコーダ部１６から入力された音声信号に基づいた地上波デジタルテレビ放送の音声等を出力する。この音声出力部２４は、図１のスピーカ３及びその駆動回路に該当する。
【００３１】
角度センサ３０は、携帯型テレビ１の外部に対する傾斜を検知するセンサ（傾斜検知センサ）の一種であり、検出した傾斜の度合を傾斜角度θで出力する。この角度センサ３０が検知した傾斜角度θに基づいて、携帯型テレビ１の使用姿勢が判定される。
【００３２】
本実施形態において、携帯型テレビ１の使用姿勢には、大きく分けて、ある外部の基準位置から略水平方向に見て、携帯型テレビ１が縦長となるように置かれた（或いは、ユーザによって把持された）縦置き姿勢と、横長となるように置かれた横置き姿勢との２種類があり、それぞれは、更に、上下方向を互いに逆転させた順方向／逆方向の２種類に分類される。従って、携帯型テレビ１の使用姿勢は、縦置き姿勢に分類される“順方向縦置き姿勢”及び“逆方向縦置き姿勢”と、横置き姿勢に分類される“順方向横置き姿勢”及び“逆方向横置き姿勢”と、の合計４種類ある。
【００３３】
図３は、携帯型テレビ１の使用姿勢を示す図である。尚、何れも、外部の同一の基準位置から略水平方向に携帯型テレビ１を見たときの状態を示している。同図（ａ）は、順方向縦置き姿勢を示している。順方向縦置き姿勢は、携帯型テレビ１の上／下が、それぞれ、基準位置から見て上／下となるように置かれた姿勢である。また、同図（ｃ）は、逆方向縦置き姿勢を示している。逆方向縦置き姿勢は、携帯型テレビ１の上／下が、それぞれ、基準位置から見て下／上となるように置かれた姿勢である。即ち、順方向縦置き姿勢に対して、上下方向が逆転した状態に該当する。
【００３４】
同図（ｂ）は、順方向横置き姿勢を示している。順方向横置き姿勢は、携帯型テレビ１の左／右が、それぞれ、基準位置から見て上／下となるように置かれた姿勢であり、順方向縦置き姿勢から、携帯型テレビ１を、基準位置から見て右周り方向に約９０度回転させた状態に該当する。また、同図（ｄ）は、逆方向横置き姿勢を示している。逆方向横置き姿勢は、携帯型テレビ１の上／下が、それぞれ、基準位置から見て左／右となるように置かれた姿勢であり、順方向横置き姿勢に対して、上下方向が逆転した状態に該当する。
【００３５】
角度センサ３０は、図４に示すように、基準軸ＡＸを軸中心とする傾斜角度θを検出する。基準軸ＡＸは、水平面に平行であり、且つ携帯型テレビ１の正面側から背面側に向かう方向を正方向として設定されている。そして、角度センサ３０は、基準軸ＡＸの正方向に向かって時計回り方向（右回り方向）を正方向として、傾斜角度θを、正方向への１回転に相当する０°以上３６０°未満（０°≦θ＜３６０°）の範囲の値として検出する。
【００３６】
具体的には、角度センサ３０は、図３（ａ）に示した、使用姿勢が順方向縦置き姿勢の場合の傾斜角度θを“０°”として検出する。また、同図（ｂ）に示した、使用姿勢が順方向横置き姿勢の場合の傾斜角度θを“９０°”として検出する。また、同図（ｃ）に示した、使用姿勢が逆方向縦置き姿勢の場合の傾斜角度θを“１８０°”として検出する。また、同図（ｄ）に示した、使用姿勢が逆方向横置き姿勢の場合の傾斜角度θを“２７０°”として検出する。そして、角度センサ３０が検出した傾斜角度θから、ＣＰＵ４０により、携帯型テレビ１の使用姿勢が、図３に示した４種類の使用姿勢の何れであるかが判定される。
【００３７】
図２において、ＣＰＵ４０は、所定のタイミング或いはユーザインターフェース部７４から入力された入力信号等に応じて、ＲＯＭ５０内に格納された各種プログラムを読み出してＲＡＭ６０内に展開し、当該プログラムに基づいて携帯型テレビ１内の各部への指示やデータの転送等を行う。具体的には、地上波デジタルテレビ放送の受信開始が指示されると、テレビ部１０を制御して地上波デジタルテレビ放送の受信を開始させる。そして、本実施形態では、ＲＯＭ５０の映像表示プログラム５１Ａに従った映像表示処理Ａ（図１１参照）を実行して受信した地上波デジタルテレビ放送の映像を映像表示部２２に表示させるとともに、この映像表示処理Ａ中において、表示切替プログラム５２Ａに従った表示切替処理Ａ（図１２参照）を実行して、表示画面に対する映像の表示向き及び表示位置を必要に応じて切り替える。
【００３８】
詳細には、表示切替処理Ａにおいて、ＣＰＵ４０は、角度センサ３０によって検出された傾斜角度θに基づき、使用姿勢テーブル５３を参照して携帯型テレビ１の使用姿勢を判定する。使用姿勢テーブル５３とは、傾斜角度θと使用姿勢との対応関係を定義したテーブルデータである。図５（ａ）に、使用姿勢テーブル５３のデータ構成の一例を示す。
【００３９】
図５（ａ）によれば、使用姿勢テーブル５３には、図３に示した４種類の使用姿勢（５３ａ）と、傾斜角度θ（５３ｂ）とが対応付けて格納されている。傾斜角度θ（５３ｂ）は、図５（ｂ）に示すように、対応する使用姿勢（５３ａ）を中心とする９０度の範囲が対応付けらている。
【００４０】
従って、ＣＰＵ４０は、傾斜角度θが３１５°以上３６０°未満（３１５°≦θ＜３６０°）、又は、０°以上４５°未満（０°≦θ＜４５°）の範囲であれば、使用姿勢を順方向縦置き姿勢と判定し、傾斜角度θが４５°以上１３５°未満（４５°≦θ＜１３５°）の範囲であれば、使用姿勢を順方向横置き姿勢と判定し、傾斜角度θが１３５°以上２２５°未満（１３５°≦θ＜２２５°）の範囲であれば、使用姿勢を逆方向縦置き姿勢と判定し、傾斜角度θが２２５°以上３１５°未満（２２５°≦θ＜３１５°）の範囲であれば、使用姿勢を逆方向横置き姿勢と判定する。
【００４１】
傾斜角度θから使用姿勢を判定すると、ＣＰＵ４０は、次いで、判定した使用姿勢に基づき、表示モードテーブル５４を参照して表示モードを決定する。
【００４２】
表示モードとは、映像のディスプレイ２に対する相対的な表示向き及び表示位置を定めたものである。本実施形態では、表示モードには、大きく分けて、外部に対してディスプレイ２を横長に使用する横長モードと、縦長に使用する縦長モードとの２種類があり、それぞれは、更に、ディスプレイ２に対する映像の相対的な表示向きを互いに上下方向に逆転させた順方向／逆方向の２種類に分類される。従って、表示モードには、横長モードに分類される“順方向横長モード”及び“逆方向横長モード”と、縦長モードに分類される“順方向縦長モード”及び“逆方向縦長モード”と、の合計４種類の表示モードがある。
【００４３】
図６は、表示モードを示す図である。同図（ｂ）〜（ｅ）は、同図（ａ）に示すように、ある映像ＩＭ１を、それぞれの表示モードで携帯型テレビ１のディスプレイ２に表示させた場合を示している。尚、同図（ａ）において、上／下／左／右を、それぞれ、映像ＩＭ１の上／下／左／右とする。
【００４４】
即ち、同図（ｂ）は、順方向横長モードを示している。順方向横長モードは、ディスプレイ２全体を表示領域として、映像ＩＭ１の上／下が、それぞれ、ディスプレイ２の上／下となる方向で表示させたモードである。また、同図（ｃ）は、逆方向横長モードを示している。逆方向横長モードは、ディスプレイ２全体を表示領域として、映像の上／下が、それぞれ、ディスプレイ２の下／上となる方向で表示させたモードである。即ち、順方向横長モードに対して、ディスプレイ２に対する相対的な映像ＩＭ１の表示向きを上下方向に逆転させた状態に該当する。
【００４５】
同図（ｄ）は、順方向縦長モードを示している。順方向縦長モードでは、ディスプレイ２の左部を表示領域として、映像ＩＭ１の上／下が、それぞれ、ディスプレイ２の左／右となる方向で表示させたモードである。即ち、順方向横長モードに対して、ディスプレイ２に対する相対的な映像ＩＭ１の表示向きを左周り方向に９０度回転させた状態に該当する。また、同図（ｅ）は、逆方向縦長モードを示している。逆方向縦長モードは、ディスプレイ２の右部を表示領域として、映像の上／下が、それぞれ、ディスプレイ２の右／左となる方向で表示させたモードである。即ち、順方向縦長モードに対して、ディスプレイ２に対する相対的な映像ＩＭ１の表示向きを上下方向に逆転させた状態に該当する。
【００４６】
また、表示モードテーブル５４とは、使用姿勢と表示モードとの対応関係を定義したテーブルデータである。図７に、表示モードテーブル５４のデータ構成の一例を示す。同図によれば、表示モードテーブル５４には、使用姿勢（５４ａ）と、図６に示した４種類の表示モード（５４ｂ）と、が対応付けて格納される。
【００４７】
表示モードテーブル５４では、外部に対する映像の絶対的な表示向きが使用姿勢の変化に関わらずに一定となるよう、使用姿勢と表示モードとが対応付けられている。即ち、表示モードは、携帯型テレビ１が何れの使用姿勢であっても、水平面に対して映像が常に正立して表示されるように使用姿勢と対応付けられている。
【００４８】
図８は、使用姿勢と表示モードとの対応関係を示す図である、同図中、左側は使用姿勢を示し、右側は表示モードを示している。即ち、図８（ａ）に示すように、使用姿勢が順方向縦置き姿勢の場合、表示モードを順方向横長モードとすることで、水平面に対して映像が正立して表示される。また、同図（ｂ）に示すように、使用姿勢が逆方向縦置き姿勢の場合、表示モードを逆方向横長モードとすることで、外部から見て映像が正立して表示される。また、同図（ｃ）に示すように、使用姿勢が順方向横置き姿勢の場合、表示モードを順方向縦長モードとすることで、外部から見て映像が正立して表示される。また、同図（ｄ）に示すように、使用姿勢が逆方向横置き姿勢の場合、表示モードを逆方向縦長モードとすることで、外部から見て映像が正立して表示される。
【００４９】
従って、ＣＰＵ４０は、表示モードテーブル５４を参照して、使用姿勢が順方向縦置き姿勢であれば、表示モードを順方向横長モードと決定し、使用姿勢が順方向横置き姿勢であれば、表示モードを順方向縦長モードと決定し、使用姿勢が逆方向縦置き姿勢であれば、表示モードを逆方向横長モードと決定し、使用姿勢が逆方向横置き姿勢であれば、表示モードを逆方向縦長モードと決定する。
【００５０】
表示モードを決定すると、ＣＰＵ４０は、続いて、決定した表示モードで受信された地上波デジタルテレビ放送の映像を映像表示部２２に表示させる。このとき、ＣＰＵ４０は、決定した表示モードに基づき、切り出しテーブル５５を参照して、受信した映像から切り出した映像部分を表示対象とするか否かを判定する。
【００５１】
切り出しテーブル５５とは、受信された映像から中央部分を切り出すか否かを判定するためのデータテーブルである。図９に、切り出しテーブル５５のデータ構成の一例を示す。同図によれば、切り出しテーブル５５には、表示モード（５５ａ）と、切り出しの有無（行うか否か）（５５ｂ）と、が対応付けて格納される。
【００５２】
従って、ＣＰＵ４０は、表示モードが横長モード（即ち、順方向横長モード又は逆方向横長モード）であれば、切り出しを行わないと判定して、受信した映像全体を表示対象部分として表示させる。
【００５３】
一方、縦長モード（即ち、順方向縦長モード又は逆方向縦長モード）であれば、切り出しを行うと判定し、受信された映像の中央部分を切り出した映像部分を表示対象として表示させる。具体的には、図１０に示すように、受信した地上波デジタルテレビ放送の映像ＩＭ２の縦横比が９：１６である場合には、受信した映像ＩＭ２の中央部分から、縦横比が３：４になるように映像部分ＩＭ２ａを切り出し、この切り出した映像部分ＩＭ２ａを表示対象部分とする。
【００５４】
図２において、ＲＯＭ５０は、主に、携帯型テレビ１にかかるシステムプログラムやアプリケーションプログラム、データ等を記憶する。特に、第１実施形態では、映像表示プログラム５１Ａと、図５に一例を示した使用姿勢テーブル５３と、図７に一例を示した表示モードテーブル５４と、図９に一例を示した切り出しテーブル５５と、を記憶する。
【００５５】
映像表示プログラム５１Ａは、本実施形態における映像表示処理Ａ（図１１参照）を実現するためのプログラムであり、これには、該処理中にサブルーチンとして実行される表示切替処理Ａ（図１２参照）を実現するための表示切替プログラム５２Ａが含まれる。
【００５６】
ＲＡＭ６０は、ＣＰＵ４０の作業領域として用いられ、ＲＯＭ５０から読み出されたプログラムやデータ、ＣＰＵ４０で処理されたデータ等を一時的に記憶する。特に、本実施形態では、角度センサ３０によって検出された傾斜角度θを格納する傾斜角度格納領域６１と、傾斜角度θから判定された使用姿勢を格納する使用姿勢格納領域６２と、使用姿勢から決定された表示モードを格納する表示モード格納領域６３と、を備えている。
【００５７】
外部インターフェース部７２は、携帯型テレビ１が外部機器と接続してデータ通信を実行するためのインターフェースである。また、ユーザインターフェース部７４は、ユーザが携帯型テレビ１に対する各種操作を行うためのインターフェースであり、図１のスイッチ群４に該当する。
【００５８】
＜処理の流れ＞
図１１は、映像表示処理Ａの流れを示すフローチャートである。この処理は、テレビスイッチ４ａがＯＮされて地上波デジタルテレビ放送の受信開始が指示されると、ＣＰＵ４０が、ＲＯＭ５０の映像表示プログラム５１Ａに従った処理を実行することで実現される処理である。
【００５９】
図１１によれば、ＣＰＵ４０は、先ず、初期化処理を行って動作環境の設定等を行うとともに、初期値として、使用姿勢を“順方向縦置き姿勢”に、表示モードを“順方向横長モード”に、それぞれ設定する。次いで、テレビ部１０を制御して、ユーザによって指定されたチャンネル（放送局）に対応する地上波デジタルテレビ放送の受信を開始させる（ステップＳ１）。
【００６０】
続いて、ＣＰＵ４０は、表示処理を行って、受信された地上波デジタルテレビ放送の映像を映像表示部２２に表示させる（ステップＳ２）。このとき、受信された地上波デジタルテレビ放送の映像を、設定されている表示モードに基づく表示向き及び表示位置で表示させる。
【００６１】
次いで、ＣＰＵ４０は、後述する表示切替処理Ａ（図１２参照）を実行して、表示モードを必要に応じて切り替える（ステップＳ３）。具体的には、角度センサ３０によって検出された傾斜角度θから携帯型テレビ１の使用姿勢を判定し、この使用姿勢の変化に応じて表示モードを変更する。そして、携帯型テレビ１のその他の動作にかかる処理を実行した後（ステップＳ４）、ステップＳ２に移行し、テレビスイッチ４ａがＯＦＦされて地上波デジタルテレビ放送の受信停止が指示されるまでの間、同様の処理を繰り返し実行する。
【００６２】
図１２は、表示切替処理Ａの流れを説明するためのフローチャートである。この処理は、図１１に示した映像表示処理ＡのステップＳ３においてサブルーチンとして実行される処理であり、ＣＰＵ４０が、ＲＯＭ５０の表示切替プログラム５２Ａに従った処理を実行することで実現される。
【００６３】
図１２によれば、表示切替処理Ａにおいて、ＣＰＵ４０は、先ず、使用姿勢テーブル５３を参照して、角度センサ３０で検出された傾斜角度θに対応する使用姿勢を判定する（ステップＳ１１）。そして、判定した使用姿勢が、直前の使用姿勢から変化したか否かを判断する（ステップＳ１２）。その結果、変化していないと判断したならば（ステップＳ１２：ＮＯ）、本処理を終了して図１１のステップＳ４に戻る。一方、変化したと判断したならば（ステップＳ１２：ＹＥＳ）、表示モードテーブル５４を参照して、変化後の使用姿勢に対応する表示モードに変更する。
【００６４】
即ち、使用姿勢が“順方向縦置き姿勢”に変化したならば（ステップＳ１３：ＹＥＳ）、ＣＰＵ４０は、表示モードを“順方向横長モード”に変更し（ステップＳ１４）、また、使用姿勢が“逆方向縦置き姿勢”に変化したならば（ステップＳ１３：ＮＯ〜ステップＳ１５：ＹＥＳ）、表示モードを“逆方向横長モード”に変更する（ステップＳ１６）。その後、表示切替処理Ａを終了して図１１のステップＳ４に戻る。
【００６５】
また、使用姿勢が“順方向横置き姿勢”に変化したならば（ステップＳ１５：ＮＯ〜ステップＳ１７：ＹＥＳ）、ＣＰＵ４０は、表示モードを“順方向縦長モード”に変更し（ステップＳ１８）、また、使用姿勢が“逆方向横置き姿勢”に変化したならば（ステップＳ１７：ＮＯ）、表示モードを“逆方向縦長モード”に変更する（ステップＳ１９）。次いで、受信された映像が縦横比９：１６の映像であるか否かを判定し、そうであれば（ステップＳ２０：ＹＥＳ）、受信した映像から中心部分を切り出した縦横比３：４の映像部分を表示対象とする（ステップＳ２１）。その後、表示切替処理Ａを終了して図１１のステップＳ４に戻る。
【００６６】
＜作用・効果＞
以上のように、第１実施形態によれば、携帯型テレビ１では、内蔵した角度センサ３０で検出された傾斜角度θに基づいて使用姿勢を判定し、この判定した使用姿勢に基づいて表示モードを決定する。ここで、表示モードは、外部から見て映像の表示方向が水平面に対して常に正立するように決定する。また、表示モードがディスプレイ２を縦長に使用する縦長モードでは、受信した地上波デジタルテレビ放送の縦横比が９：１６の映像から中心部分を切り出した縦横比が３：４の映像部分を表示対象として表示させる。
【００６７】
従って、使用姿勢の変化に応じて表示モードが変更され、ディスプレイ２に対する映像の表示向き及び表示領域が自動的に切り替えられるので、ユーザによる使用姿勢に応じて表示向きを切り替えるといった操作が不要となり、表示向きの切り替えに伴う煩わしさが解消される。また、表示向きは、使用姿勢の変化に関わらず外部から見て常に正立するように切り替えられるので、使用姿勢が変化しても、外部から見たときに映像が常に正立しているといった適切な表示向きの切り替えが実現される。更に、縦長モードの場合には、受信した映像の中心部分を切り出した映像部分を表示対象として表示させるので、映像が縮小されて見辛くなるといったことを防止できる。
【００６８】
［第２実施形態］
次に、第２実施形態を説明する。
第２実施形態では、使用姿勢に基づいて、地上波デジタルテレビ放送のＯＦＤＭ信号の内、表示対象とするセグメント信号を選択して受信するものであり。表示モードに応じた画像の切り出しは行わない。また、第２実施形態において、上述した第１実施形態と同一要素については同符号を付し、詳細な説明を省略する。
【００６９】
＜構成＞
図１３は、第２実施形態における携帯型テレビ１の回路構成を示すブロック図である。同図によれば、第２実施形態において、携帯型テレビ１は、テレビ部１０と、映像表示部２２と、音声出力部２４と、角度センサ３０と、ＣＰＵ４０と、ＲＯＭ５０と、ＲＡＭ６０と、外部インターフェース部７２と、ユーザインターフェース部７４と、を備えて構成される。
【００７０】
ＣＰＵ４０は、第１実施形態と同様に、地上波デジタルテレビ放送の受信開始が指示されると、テレビ部１０を制御して地上波デジタルテレビ放送の受信を開始させる。そして、ＲＯＭ５０の映像表示プログラム５１Ｂに従った映像表示処理Ｂを実行して受信した地上波デジタルテレビ放送の映像を映像表示部２２に表示させるとともに、この映像表示処理Ｂ中において、表示切替プログラム５２Ｂに従った表示切替処理Ｂ（図１６参照）を実行して、必要に応じて表示画面に対する映像の表示向き及び表示位置を切り替える。
【００７１】
具体的には、表示切替処理Ｂにおいて、ＣＰＵ４０は、第１実施形態と同様に、角度センサ３０によって検出された傾斜角度θに基づき、使用姿勢テーブル５３を参照して携帯型テレビ１の使用姿勢を判定する。次いで、判定した使用姿勢に基づき、表示モードテーブル５４を参照して表示モードを決定する。続いて、決定した表示モードで、受信された地上波デジタルテレビ放送の映像を映像表示部２２に表示させる。
【００７２】
このとき、ＣＰＵ４０は、決定した表示モードに基づいて、セグメント放送テーブル５６を参照し、受信するセグメント放送を選択する。セグメント放送テーブル５６とは、受信するセグメント放送を選択するためのデータテーブルである。図１４に、セグメント放送テーブル５６のデータ構成の一例を示す。同図によれば、セグメント放送テーブル５６には、表示モード（５６ａ）と、選択するセグメント放送（５６ｂ）と、が対応付けて格納される。
【００７３】
地上波デジタルテレビ放送の場合、図１５に示すように、１チャンネル（１放送局）当たりの周波数帯域幅が６ＭＨｚであり、これを１３分割した周波数帯域が４２９ＫＨｚのセグメント（合計１３セグメント）を単位とした放送が行われている。現在では、これら１３セグメントの内、１２セグメントを使用した、家庭等に設置されるテレビでの受信を目的とした１２セグメント放送と、３セグメントを使用した、カーナビゲーションシステム等の車載テレビでの受信を目的とした３セグメント放送と、１セグメントを使用した、小型の携帯機器での受信を目的とした１セグメント放送と、の３種類が規格されている。また、使用するセグメント数が多いほど、より高品質の映像を提供できる。
【００７４】
そして、放送局（送信側）では、「１２セグメント放送＋１セグメント放送」、又は、「３セグメント放送＋１セグメント放送」といったように、複数のセグメント放送を組み合わせて同時に送信することができる。また、受信機側では、１３セグメント全てを受信するのではなく、必要なセグメント放送のみを選択して受信することができる。そこで、本実施形態では、縦長モードの場合には、横長モードに比較して表示領域が小さい（狭い）ため、横長モードの場合と比較して映像品質が低い放送、即ちセグメント数が小さい放送を受信する。
【００７５】
従って、ＣＰＵ４０は、表示モードが横長モード（即ち、順方向横長モード又は逆方向横長モード）であれば、１２セグメント放送又は３セグメント放送を選択して受信し、縦長モードであれば、１セグメント放送を選択して受信する。
【００７６】
図１３において、ＲＯＭ５０は、映像表示プログラム５１Ｂと、使用姿勢テーブル５３と、表示モードテーブル５４と、図１４に一例を示したセグメント放送テーブル５６と、を記憶する。
【００７７】
映像表示プログラム５１Ｂは、本実施形態における映像表示処理Ｂを実行するためのプログラムであり、該処理中にサブルーチンとして実行される表示切替処理Ｂを実現するための表示切替プログラム５２Ｂが含まれる。尚、映像表示処理Ｂは、第１実施形態において図１１に示した映像表示処理Ａと同様の処理である。
【００７８】
＜処理の流れ＞
本実施形態における映像表示処理Ｂは、第１実施形態において図１１に示した映像表示処理Ａと同様の処理であるため、ここでの説明は省略する。
【００７９】
図１６は、表示切替処理Ｂの流れを示すフローチャートである。この処理は、図１１に示した映像表示処理ＡのステップＳ３において、第１実施形態における表示切替処理Ａに代えてサブルーチンとして実行される処理であり、ＣＰＵ４０が、ＲＯＭ５０の表示切替プログラム５２Ｂに従った処理を実行することで実現される。
【００８０】
図１６によれば、表示切替処理Ｂにおいて、ＣＰＵ４０は、先ず、使用姿勢テーブル５３を参照して、角度センサ３０で検出された傾斜角度θに対応する使用姿勢を判定する（ステップＳ３１）。そして、判定した使用姿勢が、直前の使用姿勢から変化したか否かを判定する。その結果、変化していないと判断したならば（ステップＳ３２：ＮＯ）、表示切替処理Ｂを終了して図１１のステップＳ４に戻る。一方、変化したと判断したならば（ステップＳ３２：ＹＥＳ）、表示モードテーブル５４を参照して、変化後の使用姿勢に対応する表示モードに変更する。
【００８１】
即ち、使用姿勢が“順方向縦置き姿勢”に変化したならば（ステップＳ３３：ＹＥＳ）、ＣＰＵ４０は、表示モードを“順方向横長モード”に変更し（ステップＳ３４）、また、使用姿勢が“逆方向縦置き姿勢”に変化したならば（ステップＳ３３：ＮＯ〜ステップＳ３５：ＹＥＳ）、表示モードを“逆方向横長モード”に変更する（ステップＳ３６）。次いで、テレビ部１０を制御して、１２セグメント放送又は３セグメント放送を受信させる（ステップＳ３７）。その後、表示切替処理Ｂを終了して図１１のステップＳ４に戻る。
【００８２】
また、使用姿勢が“順方向横置き姿勢”に変化したならば（ステップＳ３５：ＮＯ〜ステップＳ３８：ＹＥＳ）、ＣＰＵ４０は、表示モードを“順方向縦長モード”に変更し（ステップＳ３９）、また、使用姿勢が“逆方向横置き姿勢”に変化したならば（ステップＳ３８：ＮＯ）、表示モードを“逆方向縦長モード”に変更する（ステップＳ４０）。次いで、テレビ部１０を制御して、１セグメント放送を受信させる（ステップＳ４１）。その後、表示切替処理Ｂを終了して図１１のステップＳ４に戻る。
【００８３】
＜作用・効果＞
以上のように、第２実施形態によれば、携帯型テレビ１では、内蔵した角度センサ３０で検出された傾斜角度θに基づいて使用姿勢を判定し、この判定した使用姿勢に基づいて表示モードを決定する。ここで、表示モードは、外部から見て映像の表示方向が水平面に対して常に正立するように決定する。また、表示モードが横長モードの場合には、１２セグメント放送又は３セグメント放送を受信し、縦長モードの場合には、１セグメント放送を受信する。
【００８４】
従って、使用姿勢の変化に応じて表示モードが変更され、ディスプレイ２に対する映像の表示向き及び表示領域が自動的に切り替えられるので、ユーザによって使用姿勢に応じて表示向きを切り替えるといった操作が不要となり、表示向きの切り替えに伴う煩わしさが解消される。また、表示向きは、使用姿勢の変化に関わらず外部から見て常に正立するように切り替えられるので、使用姿勢が変化しても、外部から見たときに映像が常に正立しているといった適切な表示向きの切り替えが実現される。更に、横長モードに比較して表示領域が小さい（狭い）縦長モードの場合には、比較的映像品質が低い放送、即ち１セグメント放送を受信することで、地上波デジタルテレビ放送の映像の表示にかかる低消費電力化を図ることができる。
【００８５】
［変形例］
尚、本発明の適用は、上述した２つの実施形態に限定されることなく、本発明の趣旨を逸脱しない範囲で適宜変更可能である。
【００８６】
例えば、上述した実施の形態において、携帯型テレビ１は地上波デジタルテレビ放送を受信するとしたが、他のデジタル放送、例えばＣＳデジタル放送やＢＳデジタル放送であっても同様に適用可能なのは勿論である。
【００８７】
また、上述した各実施形態では、本発明を携帯型テレビに適用した場合を説明したが、ＰＤＡや携帯電話機等、映像を表示する制御を行うものであれば、同様に適用可能なのは勿論である。例えば携帯型のＤＶＤプレーヤ等の映像表示制御装置について本発明を適用し、第１実施形態と同様に構成しても良い。
【図面の簡単な説明】
【００８８】
【図１】本発明を適用した携帯型テレビの外観正面図。
【図２】第１実施形態における携帯型テレビの回路構成図。
【図３】携帯型テレビの使用姿勢を示す図。
【図４】角度センサによる携帯型テレビの傾斜角度の検出を示す図。
【図５】使用姿勢テーブルのデータ構成例。
【図６】表示モードを示す図。
【図７】表示モードテーブルのデータ構成例。
【図８】使用姿勢と表示モードとの関係を示す図。
【図９】切り出しテーブルのデータ構成例。
【図１０】画像の切り出しを説明する図。
【図１１】第１実施形態における映像表示処理Ａの流れを示すフローチャート。
【図１２】第１実施形態における表示切替処理Ａの流れを示すフローチャート。
【図１３】第２実施形態における携帯型テレビの回路構成図。
【図１４】セグメント放送テーブルのデータ構成例。
【図１５】地上波デジタルテレビ放送でのセグメント放送を示す図。
【図１６】第２実施形態における表示切替処理Ｂの流れを示すフローチャート。
【符号の説明】
【００８９】
１  携帯型テレビ
１０  テレビ部
１２  チューナ部
１４  ＯＦＤＭ復調部
１６  デコーダ部
２２  映像表示部
２４  音声出力部
３０  角度センサ
４０  ＣＰＵ
５０  ＲＯＭ
５１Ａ、５１Ｂ  映像表示プログラム
５２Ａ、５２Ｂ  表示切替プログラム
５３  使用姿勢テーブル
５４  表示モードテーブル
５５  切り出しテーブル
５６  セグメント放送テーブル
６０  ＲＡＭ
６１  傾斜角度格納領域
６２  使用姿勢格納領域
６３  表示モード格納領域
７２  外部インターフェース部
７４  ユーザインターフェース部
【図１】
2005221954.tif 000003
【図２】
2005221954.tif 000004
【図３】
2005221954.tif 000005
【図４】
2005221954.tif 000006
【図５】
2005221954.tif 000007
【図６】
2005221954.tif 000008
【図７】
2005221954.tif 000009
【図８】
2005221954.tif 000010
【図９】
2005221954.tif 000011
【図１０】
2005221954.tif 000012
【図１１】
2005221954.tif 000013
【図１２】
2005221954.tif 000014
【図１３】
2005221954.tif 000015
【図１４】
2005221954.tif 000016
【図１５】
2005221954.tif 000017
【図１６】
2005221954.tif 000018